(57)【要約】【課題】パネルのレイアウトの自由度を制限することがなく、連結作業性をよくするようにしたパネル連結装置を提供する。【解決手段】締付体Ａの１対の係止部３、３を、係合溝１４の開口部に設けた突部１３の背面に係合する。次いで、締付ねじＣを、連結体Ｂの挿通孔６を介して、締付体Ａのねじ孔２に螺合して締め付ける。これにより、１対の間仕切りパネルＰ、Ｐの各表面に、連結体Ｂのパネル当接面９が当接し、締付体Ａの係止部３とパネル当接面７、９とにより、各間仕切りパネルＰにおける係合溝１４の突部１３を挾圧把持して、１対の間仕切りパネルＰ、Ｐを連結する。【選択図】図３
2008196168.tif 000002
【特許請求の範囲】
【請求項１】
開口の上下いずれかの縁に突部を形成して、開口より奥側の上下幅を幅広にしたほぼ水平の係合溝を表面に設けた１対のパネルを、平面視において所要の角度をもって連結するパネル連結装置であって、
連結する１対のパネルの係合溝の突部の背面に、両パネルに対して交差する方向を向く締付体の両側端に設けた１対の係止部を係合し、前記締付体とほぼ平行をなす連結体のほぼ中央に設けた挿通孔に挿通した締付ねじを、前記締付体に設けたねじ孔に螺合することにより、１対のパネルの表面のそれぞれに、連結体の両側に設けたパネル当接面を当接し、締付体の係止部と連結体のパネル当接面とにより、各パネルの係合溝における突部を挾圧把持することにより、１対のパネルを連結したことを特徴とするパネル連結装置。
【請求項２】
連結体に、１対のパネルの係合溝にそれぞれ嵌合することにより、各パネルに対する連結体の上下方向の移動を阻止する１対の嵌合突片を設けたことを特徴とする請求項１記載のパネル連結装置。
【請求項３】
連結体が、１対のパネル当接面を二辺とする平面視ほぼ三角形の上下カバー壁を備えている請求項１または２に記載のパネル連結装置。
【請求項４】
連結体が、上下カバー壁の間に、締付体を収める締付体収容空間を備えている請求項３記載のパネル連結装置。
【請求項５】
締付体収容空間の上下寸法を、締付体の上下寸法とほぼ同一とした請求項４記載のパネル連結装置。
【請求項６】
係合溝における突部の背面に係合する締付体における係止部の先端部に、先端に向かって、係合溝の奥側から突片側に傾斜する傾斜部を設けた請求項１〜５のいずれかに記載のパネル連結装置。
【請求項７】
各パネルの係合溝内における突部の先端部内面に、膨出部を設けた請求項１〜６のいずれかに記載のパネル連結装置。
【発明の詳細な説明】
【技術分野】
【０００１】
本発明は、オフィス等において使用される間仕切りパネル、机等の机上面に設置されるデスクトップパネル等を、所要の角度をもって連結するパネル連結装置に関する。
【背景技術】
【０００２】
このような間仕切りパネルやデスクトップパネル等においては、レイアウトの自由度を向上させ、パネルの強度を向上させるとともに、体裁よく収めるために、隣接して配置されるパネル同士を、所要の角度をもって連結することが多い。
【０００３】
この種のものとしては、各パネルの側端部と連結ブラケットとを、締付ねじや係止爪等の連結手段によって連結するようにしたものがある(例えば特許文献１〜４参照)。これらの方法によれば、パネルに連結の為の簡易的な加工を施すのみで、確実にパネルを連結することができる。しかし、パネルを連結しない場合においても、連結の為の加工が外部に露出することになってしまい、体裁が悪いという問題がある。また、連結位置がパネルにおける端部と決まってしまっているので、レイアウトの自由度が制限されてしまうという問題もある。
【０００４】
これらの問題点を考慮し、各パネルに、開口縁に内向きの突部を設けた係合溝を設け、各係合溝に、突部の背面に係合しうる係合部を有する締付体を嵌合し、かつ連結材に形成した互いに所要の角度をなす２つのパネル当接面を各パネルの表面に当接し、各締付体とパネル当接面とにより各パネルの係合溝の内向き突部を挟んで、各締付体を締着手段により連結材に締着したパネル連結装置がある(例えば特許文献５参照)。
この連結装置によれば、パネルの連結位置を任意の位置に変更することが可能となり、レイアウトの自由度を向上することができる。また、パネルを連結しない場合においても、ねじ孔や係合孔等が外部に露出することがなく、体裁よく収めることができる。
【特許文献１】特開２００４−１２５１１８号公報
【特許文献２】実開昭５６−１５７２１５号公報
【特許文献３】実開昭６３−１２７５０７号公報
【特許文献４】実開平０４−１２３９０９号公報
【特許文献５】特開２００６−１３８１７９号公報
【発明の開示】
【発明が解決しようとする課題】
【０００５】
しかし、上記のような従来のものにおいては、連結作業に際して、締付ねじにより螺締するまでの間、パネルを保持し難く、また、締付ねじがパネルの表面とほぼ平行に配置されているため、ねじ締め作業の作業性が悪く、しかも煩雑である。
【０００６】
本発明は、従来の技術が有する上記のような問題に鑑み、パネルのレイアウトの自由度を制限することがなく、連結作業の作業性をよくするようにしたパネル連結装置を提供することを目的としている。
【課題を解決するための手段】
【０００７】
本発明によると、上記課題は次のようにして解決される。
（１）開口の上下いずれかの縁に突部を形成して、開口より奥側の上下幅を幅広にしたほぼ水平の係合溝を表面に設けた１対のパネルを、平面視において所要の角度をもって連結するパネル連結装置において、連結する１対のパネルの係合溝の突部の背面に、両パネルに対して交差する方向を向く締付体の両側端に設けた１対の係止部を係合し、前記締付体とほぼ平行をなす連結体のほぼ中央に設けた挿通孔に挿通した締付ねじを、前記締付体に設けたねじ孔に螺合することにより、１対のパネルの表面のそれぞれに、連結体の両側に設けたパネル当接面を当接し、締付体の係止部と連結体のパネル当接面とにより、各パネルの係合溝における突部を挾圧把持することにより、１対のパネルを連結する。
【０００８】
（２）上記(１)項において、連結体に、１対のパネルの係合溝にそれぞれ嵌合することにより、各パネルに対する連結体の上下方向の移動を阻止する１対の嵌合突片を設ける。
【０００９】
（３）上記(１)または(２)項において、連結体が、１対のパネル当接面を二辺とする平面視ほぼ三角形の上下カバー壁を備えるものとする。
【００１０】
（４）上記(３)項において、連結体を、上下カバー壁の間に、締付体を収める締付体収容空間を備えるものとする。
【００１１】
（５）上記(４)項において、締付体収容空間の上下寸法を、締付体の上下寸法とほぼ同一とする。
【００１２】
（６）上記(１)〜(５)項のいずれかにおいて、係合溝における突部の背面に係合する締付体における係止部の先端部に、先端に向かって、係合溝の奥側から突片側に傾斜する傾斜部を設ける。
【００１３】
（７）上記(１)〜(６)項のいずれかにおいて、各パネルの係合溝内における突部の先端部内面に、膨出部を設ける。
【発明の効果】
【００１４】
本発明によると、次のような効果を奏することができる。
請求項１記載の発明によると、１本の締付ねじを、連結体に設けた挿通孔を介して、締付体に設けたねじ孔に螺合して締め付けることにより、締付体の係止部と連結体のパネル当接面とにより、各パネルの係合溝の突部を挾圧把持して、１対のパネルを連結するようにしてあるので、パネル同士を水平方向の自由な位置で連結することができるとともに、レイアウトの自由度を向上することができる。
また、両パネルから離れた連結体のほぼ中央において、両パネルの表面に対して傾斜する方向を向く締付ねじをもって、ねじ締め作業を行うことができるので、広いねじ締め作業空間を確保することができ、作業性を向上することができる。
さらに、連結しようとする１対のパネルの係合溝の突部の背面に、締付体の両側に設けた１対の係止部を係合させることにより、締付ねじのねじ締め作業前に、両パネルを一時的に自立支持させることができ、作業性をよくすることができる。
【００１５】
請求項２記載の発明によると、連結体の両嵌合突片を、両パネルの係合溝に嵌合することにより、各パネルに対する連結体の上下方向の移動が阻止されるので、締付ねじのねじ締め時に、連結体が位置ずれすることがなく、連結作業の作業性を向上することができる。
また、１対の嵌合突片を係合溝に嵌合することにより、係合溝内に収容した締付体の係止部が外部に露呈しないようにすることができ、体裁をよくすることができる。
【００１６】
請求項３記載の発明によると、連結体が、１対のパネル当接面を形成する平面視ほぼ三角形の上下カバー壁を備えるものとしてあるので、この連結体における上下カバー壁のパネル当接面を、各パネルの表面に当接させることにより、両パネルの連結角度を正確に保つことができる。
また、締付体の上下面が、連結体の上下カバー壁により覆われ、外部に露呈することがなくなるので、体裁がよい。
【００１７】
請求項４記載の発明によると、連結体が、上下カバー壁の間に、締付体を収める締付体収容空間を備えるものとしてあるので、締付体が外部に露呈することがなく、体裁がよい。
【００１８】
請求項５記載の発明によると、締付体収容空間の上下寸法を、締付体の上下寸法とほぼ同一としてあるので、締付体と連結体との上下方向の動きを規制し、パネル体の仮組み状態において、自立支持可能とすることができる。
【００１９】
請求項５記載の発明によると、締付体の係止部に設けられた傾斜部の先端が、係合溝の突片の内面に当接して、締着されるので、締付体が係合溝から外れ難くなる。
【００２０】
請求項６記載の発明によると、係合溝内における突部の先端部内面に、膨出部を設けてあるので、締付体が係合溝から外れ難くなる。
特に、請求項５記載の発明と組み合わせることにより、締付体の傾斜部と、突部の膨出部とが係合することにより、締付体が係合溝から外れるのを確実に防止することができる。
【発明を実施するための最良の形態】
【００２１】
本発明の一実施形態を、添付図面を参照して説明する。
図１〜図８は、本発明の一実施形態と、それによって連結される１対のパネルとを示す。
【００２２】
図１に示すように、パネル連結装置は、締付体Ａと、連結体Ｂと、締付ねじＣとを備えている。
【００２３】
締付体Ａにおける垂直板状の基部１の中央には、ねじ孔２が設けられており、基部１の両側端部には、平面視において、基部１に対して１３５度の角度をもって前方（図１の下方）に拡開する１対の係止部３、３が連設されている。各係止部３の下端部には、前下方に向かって傾斜する傾斜部３ａが設けられている。また、基部１の上下端には、後方に向かって水平に延出する平面視台形の１対の案内部４、４が形成されている。
【００２４】
図１および図８に示すように、連結体Ｂにおける垂直板状の基部５の中央には、挿通孔６が形成されており、基部５の両側面は、平面視において前面に対して４５度の角度をなして傾斜するパネル当接面７、７となっている。各パネル当接面７の上下方面の中央には、水平な突条７aが設けられている。
【００２５】
各パネル当接面７の外側の端部には、直角をなして後外側方に突出し、各パネルＰにおける後述する係合溝１４に嵌合することにより、パネルＰに対する連結体Ｂの上下方向の移動を阻止する嵌合突片８が設けられている。
【００２６】
基部５の上下端には、両側面がパネル当接面７と連続するパネル当接面９をなす平面視直角二等辺三角形の上下カバー壁１０、１０が後方に向かって水平に延出するように連設されている。
【００２７】
基部５と、この上下カバー壁１０、１０との間には、締付体Ａを収める締付体収容空間１１が形成されている。
【００２８】
図示の例では、後述するように、直角に交わる間仕切りパネルＰ、Ｐを連結するため、締付体Ａの１対の係止部３、３は、互いに直交する角度になっており、基部１は、これらに対して、４５度の角度で交わるようになっている。ねじ孔２も、間仕切りパネルＰ、Ｐの表面に対して、４５度の角度をなす方向を向いている。
【００２９】
連結体Ｂにおける１対のパネル当接面７、７、９、９も、互いに直角をなし、基部５は、これらに対して、４５度の角度で交わるようになっている。１対の嵌合突片８、８も、互いに直角をなし、挿通孔６も、間仕切りパネルＰ、Ｐの表面に対して、４５度の方向を向いている。
【００３０】
これらの角度は、図示例のように、間仕切りパネルＰ、Ｐを直交するように連結する場合のものであり、間仕切りパネルＰ、Ｐの連結する角度に対応して、それぞれ、変更されるものである。
【００３１】
また、連結体Ｂにおいて、締付体Ａを収める締付体収容空間１１の上下寸法は、締付体Ａの１対の案内部４、４の上下寸法にほぼ等しく設定してあり、締付ねじＣにより締付体Ａを締め付ける際に、連結体Ｂが締付体収容空間１１によりガイドされるようになっている。
【００３２】
図１〜図８に示すように、間仕切りパネルＰの上下部（下部のものは図示略）には、水平のレール部１２が設けられており、このレール部１２の両側面には、開口の上下縁に互いに対向する突部１３、１３を有し、かつ開口より奥側の上下幅を幅広にした水平の係合溝１４、１４が形成されている。
【００３３】
また、各突部１３の先端部における内面には、円弧状断面をなし、係合溝１４の奥側に膨出する膨出部１３ａが設けられている。上側の突部１３と下側の突部１３の間隔は、嵌合突片８の上下幅とほぼ等しくしてある。
【００３４】
図１および図２に示すように、間仕切りパネルＰ、Ｐを、平面視においてＴ字状に連結する場合、締付体Ａにおける１対の係止部３、３の下端部を、係合溝１４の下方の突部１３の背面に係合する。この際、図４に示すように、係合溝１４内における下方の突部１３の内面に設けられた膨出部１３ａに、係止部３の下端部の傾斜部３ａが係合することにより、締付体Ａは、係合溝１４に堅固に係合し、容易に脱落することはなくなる。
【００３５】
また、連結作業に際して、締付ねじＣを螺締するまでの間、間仕切りパネルＰ、Ｐを一時的に仮保持することができ、作業性を良好にすることができる。
【００３６】
その後、締付ねじＣを、連結体Ｂの挿通孔６を介して締付体Ａのねじ孔２に螺合して締め付ける。これにより、１対の間仕切りパネルＰ、Ｐの表面に、それぞれ、連結体Ｂのパネル当接面７、９が当接し、締付体Ａの係止部３とパネル当接面７、９とにより、各間仕切りパネルＰの係合溝１４の突部１３を挾圧把持して、１対の間仕切りパネルＰ、Ｐを強固に連結することができる。
【００３７】
このように、間仕切りパネルＰを自由な位置で連結することが可能となり、レイアウトの自由度を向上することができる。また、締付ねじＣを間仕切りパネルＰ、Ｐの各表面に対して、斜め４５度に螺合することにより、連結作業空間を広く確保することができ、作業性を良好にすることができる。
【００３８】
連結体Ｂは、上下カバー壁１０、１０を備えているので、締付体Ａに連結体Ｂを外嵌するだけで、それらの上下方向の位置決めがなされ、ねじ孔２と挿通孔６とが簡単に整合することができ、作業性をよくすることができる。即ち、１本の締付ねじＣにより締付体Ａを締め付ける際に、連結体Ｂは、上下カバー壁１０、１０により締付体Ａの案内部４、４に対してガイドされるとともに、１対の嵌合突片８、８が係合溝１４の突部１３、１３の間でガイドされるので、締付体Ａが係合溝１３から外れることがなく、連結体Ｂを姿勢が乱れることなく安定して迅速に締め付けることができる。
【００３９】
また、上下カバー壁１０、１０により、締付体Ａの上下が覆われ、さらに１対の嵌合突片８、８により、係合溝１４内に収容された締付体Ａの係止部３、３の両側方が覆われるので、締付体Ａが外部に露呈することがなく、体裁よく収めることができる。
【００４０】
本発明は、上記の実施形態のみに制限されるものではなく、特許請求の範囲を逸脱しない範囲で、変形した態様での実施が可能である。
例えば、上記の実施形態では、間仕切りパネルを平面視Ｔ字状に連結してあるが、１対の間仕切りパネルの側端部同士を、平面視Ｌ字状に連結することもできる。また、上記の実施形態では、締付体と連結体の各部の角度は、直角とした間仕切りパネルＰ、Ｐ同士の交差角に合わせてあるが、間仕切りパネルＰ、Ｐの交差角を直角以外の角度とする場合は、それに合わせ適宜変更すればよい。
【図面の簡単な説明】
【００４１】
【図１】本発明の一実施形態と、それにより連結される１対のパネルとの分解斜視図である。
【図２】同じく、連結状態の斜視図である。
【図３】図２のIIIーIII線に沿う縦断側面図である。
【図４】図３のIVーIV線に沿う縦断側面図である。
【図５】図３のVーV線に沿う横断平面図である。
【図６】図５の分解横断平面図である。
【図７】図３のVIIーVII線に沿う横断平面図である。
【図８】締符体と連結体とを後方より見た分解斜視図である。
【符号の説明】
【００４２】
Ａ  締付体
Ｂ  連結体
Ｃ  締付ねじ
Ｐ  間仕切りパネル
１  基部
２  ねじ孔
３  係止部
３ａ傾斜部
４  案内部
５  基部
６  挿通孔
７  パネル当接面
７ａ突条
８  嵌合突片
９  パネル当接面
１０ 上下カバー壁
１１ 締付体収容空間
１２ レール部
１３ 突部
１３ａ膨出部
１４ 係合溝
【図１】
2008196168.tif 000003
【図２】
2008196168.tif 000004
【図３】
2008196168.tif 000005
【図４】
2008196168.tif 000006
【図５】
2008196168.tif 000007
【図６】
2008196168.tif 000008
【図７】
2008196168.tif 000009
【図８】
2008196168.tif 000010